(57)【要約】  ＬＣＤモジュールのユーザ接続部１００は、電源電圧、外部のホストシステムからの映像信号及びディスプレイを制御する制御信号の提供を受けて、第１統合型コネクター１０２を通じて出力し、ＬＣＤモジュールは、所定のフレキシブル伝送ラインを通じて延長される第１統合型コネクターとのドッキング接続のための第２統合型コネクター３１０を具備し、第２統合型コネクターを通じて電源電圧、映像信号及び制御信号の提供を受け、データラインに画像データ信号と映像信号の出力を制御するタイミング信号を出力し、ゲートラインにスキャン信号を順次出力する。その結果、液晶表示モジュールに印加される電源電圧や各種映像信号、制御信号等を一つのコネクターに統合したので、その構造がコンパクトであり、液晶表示モジュールのスリム化を具現することができ、かつ、ドッキング方式を有しているので、オートテスト及び自動検査を容易に行うことができる。
2005513579.tif 000002
【特許請求の範囲】
【請求項１】
データ信号を伝達する複数のデータラインと、前記データラインと交差してゲート信号を伝達するゲートラインと、前記データラインとゲートラインとの間の一定領域に形成された画素領域とを具備して構成され、前記ゲート信号に応答して前記データ信号と所定の共通電極電圧との差電圧に基づいて画像をディスプレイするＬＣＤパネルと、
前記ＬＣＤパネルの背面に形成され所定の光を前記ＬＣＤパネルに提供するバックライト部と、
前記ＬＣＤパネルの所定のラインに接続された複数のＴＡＢ  ＩＣと、
前記ＴＡＢ  ＩＣに接続され、電源電圧により起動されて、画像信号と制御信号を前記ＴＡＢ  ＩＣに提供するＰＣＢと、
前記ＰＣＢに配置され、電源電圧、ユーザ接続部から提供される複数の画像信号、及び前記画像信号のディスプレイを制御する複数の制御信号を、第１統合型コネクターを通じて提供受けて前記ＰＣＢに提供する第２統合型コネクターと、
を含むことを特徴とする統合型コネクターを有する液晶表示モジュール。
【請求項２】
前記第２統合型コネクターは、前記第１統合型コネクターと脱着が可能なドッキング方式で接続されることを特徴とする請求項１記載の統合型コネクターを有する液晶表示モジュール。
【請求項３】
前記第２統合型コネクターは、
所定のフレキシブルケーブルを通じて前記ユーザ接続部と接続された第１統合型コネクターと接続されることを特徴とする請求項１記載の統合型コネクターを有する液晶表示モジュール。
【請求項４】
前記第１統合型コネクターはプラグタイプのコネクターであり、第２統合型コネクターはソケットタイプのコネクターであることを特徴とする請求項１記載の統合型コネクターを有する液晶表示モジュール。
【請求項５】
前記第１統合型コネクターは、外部のホストシステムからプログラムの入力を受けるための入力ポートを含み、
前記第２統合型コネクターは、前記プログラムを前記ＰＣＢに出力するための出力ポートを含んでいる
ことを特徴とする請求項１記載の統合型コネクターを有する液晶表示モジュール。
【請求項６】
ＬＣＤパネルと、前記ＬＣＤパネルの所定のラインに接続されたＴＡＢ  ＩＣと、前記ＴＡＢ  ＩＣに接続されたＰＣＢと、前記ＬＣＤパネルの背面に形成されたバックライト部を具備する液晶表示モジュールとを含む液晶表示装置において、
第１統合型コネクターを具備し、電源電圧、外部のホストシステムからの複数の映像信号、及び前記映像信号のディスプレイを制御する複数の制御信号の提供を受けて、これらを前記第１統合型コネクターを通じて出力するユーザ接続部と、
前記第１統合型コネクターと接続するための第２統合型コネクターを具備し、前記第２統合型コネクターを通じて前記電源電圧、前記複数の映像信号及び前記複数の制御信号の提供を受けて、前記ＬＣＤパネルのデータラインに画像信号と前記画像信号の出力を制御するタイミング信号を出力し、前記ＬＣＤパネルのゲートラインにスキャン信号を順次出力する液晶表示モジュールと、
を含むことを特徴とする液晶表示装置。
【請求項７】
前記ユーザ接続部は、
前記液晶表示装置を駆動するための電源電圧の入力を受けるための入力端子と、
外部のホストシステムからアナログタイプの映像信号の入力を受けるための一つ以上の入力端子と、
外部のホストシステムからデジタルタイプの映像信号の入力を受けるための一つ以上の入力端子と、
前記第２統合型コネクターと接続され、前記電源電圧、アナログタイプの映像信号、デジタルタイプの映像信号を前記液晶表示モジュールに出力するための複数の出力ポートを有する前記第１統合型コネクターと、
を含むことを特徴とする請求項６記載の液晶表示装置。
【請求項８】
前記液晶表示モジュールは、
前記第２統合型コネクターを具備し、前記電源電圧、前記映像信号、及び前記制御信号の提供を受けて第１端子を通じてバックライト電源電圧を出力し、第２端子を通じて画像データとゲート信号を出力するインターフェースＰＣＢと、
前記画像データをアナログ変換した画像データ信号を前記データラインに出力し、前記ゲート信号を前記ゲートラインに順次出力する駆動ＰＣＢと、
前記バックライト電源電圧に基づいて、バックライトランプの発光のための電源電圧を出力するバックライトインバータ部と、
を含むことを特徴とする請求項６記載の液晶表示装置。
【請求項９】
前記液晶表示モジュールは、
前記第２統合型コネクターを具備し、前記電源電圧、前記映像信号、及び前記制御信号の提供を受けて、第１端子を通じてバックライト電源電圧を出力し、第２端子を通じて画像データを出力し、第３端子を通じてゲート信号を出力するインターフェースＰＣＢと、
前記画像データをアナログ変換した画像データ信号を前記データラインに出力するデータ駆動ＰＣＢと、
前記ゲートラインに前記ゲート信号を順次出力するゲート駆動ＰＣＢと、
前記バックライト電源電圧に基づいて、バックライトランプの発光のための電源電圧を出力するバックライトインバータ部と、
を含むことを特徴とする請求項６記載の液晶表示装置。
【請求項１０】
前記インターフェースＰＣＢは、
外部のホストシステムから提供されるプログラムを記憶するための所定のメモリを具備することを特徴とする請求項９記載の液晶表示装置。
【請求項１１】
前記液晶表示モジュールは、
前記第２統合型コネクターを具備し、前記電源電圧、前記映像信号、及び前記制御信号の提供を受け、第１端子を通じてバックライト電源電圧を出力し、第２端子を通じて画像データをアナログ変換した画像データ信号を前記データラインに出力し、第３端子を通じてゲート信号を前記ゲートラインに順次出力する統合ボードと、
前記バックライト電源電圧に基づいて、バックライトランプの発光のための電源電圧を出力するバックライトインバータ部と、
を含むことを特徴とする請求項６記載の液晶表示装置。
【請求項１２】
前記液晶表示モジュールは、
前記第２統合型コネクターを具備し、前記電源電圧、前記映像信号、及び前記制御信号の提供を受け、第１端子を通じてバックライト電源電圧を出力し、第２端子を通じて画像データをアナログ変換した画像データ信号と前記画像データ信号の順次選択のためのスキャン信号を前記ゲートラインに出力する統合ボードと、
前記バックライト電源電圧に基づいて、バックライトランプの発光のための電源電圧を出力するバックライトインバータ部と、
を含むことを特徴とする請求項６記載の液晶表示装置。
【請求項１３】
前記統合ボードは、
外部のホストシステムから提供されるプログラムを記憶するための所定のメモリを具備することを特徴とする請求項１２記載の液晶表示装置。
【請求項１４】
前記第２統合型コネクターは、
前記第１統合型コネクターとドッキング方式で接続されることを特徴とする請求項６記載の液晶表示装置。
【請求項１５】
第１統合型コネクターは、所定のフレキシブルケーブルを通じて前記ユーザ接続部と接続されることを特徴とする請求項１４記載の液晶表示装置。
【請求項１６】
前記第１統合型コネクターは、プラグタイプのコネクターであり、第２統合型コネクターは、ソケットタイプのコネクターであることを特徴とする請求項６記載の液晶表示装置。
【請求項１７】
前記第１統合型コネクターは、外部のホストシステムからプログラムの入力を受けるための入力ポートを含み、前記第２統合型コネクターは、前記プログラムを前記ＰＣＢに出力するための出力ポートを含むことを特徴とする請求項６記載の液晶表示装置。
【発明の詳細な説明】
【技術分野】
【０００１】
本発明は、液晶表示装置に関し、より詳細には、ハードウェアの標準化が容易であり、ハウジング設計の柔軟性を提供することができる統合型コネクターを有する液晶表示モジュール、及びこれを具備する液晶表示装置に関するものである。
【背景技術】
【０００２】
最近、情報処理機器は、多様な形態、多様な機能、より高速の情報処理速度を有するように急速に発展している。このような情報処理装置で処理された情報は、電気的な信号形態を有する。ユーザが情報処理装置で処理された情報を目で確認するためには、インターフェース役割を果たすディスプレイ装置を必要とする。
【０００３】
最近では、代表的なＣＲＴ方式のディスプレイ装置に対して、軽量、小型であり、フルカラー、高解像度具現等のような機能を有する液晶表示装置（ＬＣＤ）の開発が成されて、コンピュータのモニターや、家庭用壁掛テレビ、その他情報処理装置のディスプレイ装置として広く用いられている。
【０００４】
しかし、従来の液晶表示装置は、ホストシステムから提供される各種映像信号やこの制御信号の入力を受けるためには、ＰＣＢ上に多様な信号入力端子、例えば、Ｄ−ＳＵＢ、ＤＶＩ、Ｖｉｄｅｏ等が固定されるので、このような信号入力端子が占める厚さや重さ等を考慮する時、小型、薄型化が困難になるという問題点がある。
【０００５】
又、従来の液晶表示装置では、信号を入出力するために、複数個のコネクターを用いるので、液晶表示装置の製造後、正常作動の可否をチェックするための工程で、検査者が一つ一つ複数個のコネクター接続を通じて正常作動の可否をチェックしなければならないので、作業性の側面でも多様な問題が発生する虞があった。
【発明の開示】
【発明が解決しようとする課題】
【０００６】
本発明の技術と課題は、このような従来の問題点を解決するためのものであって、本発明の目的は、機構的によりスリムであり、コンパクトな構造とハウジング設計の柔軟性を向上させるための統合型コネクターを有する液晶表示モジュールを提供することにある。
【０００７】
又、本発明の他の目的は、前記した統合型コネクターを有する液晶表示モジュールを具備する液晶表示装置を提供することにある。
【課題を解決するための手段】
【０００８】
前記した本発明の目的を実現するための一特徴による統合型コネクターを有する液晶表示モジュールは、データ信号を伝達する複数のデータラインと、前記データラインと交差してゲート信号を伝達するゲートラインと、前記データラインとゲートラインとの間の一定領域に形成された画素領域とを具備して構成され、前記ゲート信号に応答して前記データ信号と所定の共通電極電圧との差電圧に基づいて画像をディスプレイするＬＣＤパネルと、前記ＬＣＤパネルの背面に形成され所定の光を前記ＬＣＤパネルに提供するバックライト部と、前記ＬＣＤパネルの所定のラインに接続された複数のＴＡＢ  ＩＣと、前記ＴＡＢ  ＩＣに接続され、電源電圧により起動されて画像信号と制御信号を前記ＴＡＢ  ＩＣに提供するＰＣＢと、前記ＰＣＢに配置され、ユーザ接続部から提供される電源電圧、複数の画像信号、前記画像信号のディスプレイを制御する複数の制御信号を、第１統合型コネクターを通じて提供受けて前記ＰＣＢに提供する第２統合型コネクターと、を含んで構成される。
【０００９】
ここで、前記第２統合型コネクターは、前記第１統合型コネクターと脱着が可能なドッキング方式で接続されることが好ましく、前記第２統合型コネクターは、所定のフレキシブルケーブルを通じて前記ユーザ接続部と接続された第１統合型コネクターと接続されることが好ましい。
【００１０】
又、前記第１統合型コネクターはプラグタイプのコネクターであり、第２統合型コネクターはソケットタイプのコネクターであることが好ましく、前記第１統合型コネクターは、外部のホストシステムからプログラムの入力を受けるための入力ポートを含み、前記第２統合型コネクターは、前記プログラムを前記ＰＣＢに出力するための出力ポートを含むことが好ましい。
【００１１】
又、本発明の他の目的を実現するための一特徴による統合型コネクターを有する液晶表示モジュールを具備する液晶表示装置は、ＬＣＤパネルと、前記ＬＣＤパネルの所定のラインに接続されたＴＡＢ  ＩＣと、前記ＴＡＢ  ＩＣに接続されたＰＣＢと、前記ＬＣＤパネルの背面に形成されたバックライト部を具備する液晶表示モジュールとを含む液晶表示装置において、第１統合型コネクターを具備し、電源電圧、外部のホストシステムからの複数の映像信号、及び前記映像信号のディスプレイを制御する複数の制御信号の提供を受けて、前記第１統合型コネクターを通じて出力するユーザ接続部と、前記第１統合型コネクターと接続するための第２統合型コネクターを具備し、前記第２統合型コネクターを通じて前記電源電圧、前記複数の映像信号及び前記複数の制御信号の提供を受けて、前記ＬＣＤパネルのデータラインに画像信号と前記画像信号の出力を制御するタイミング信号を出力し、前記ＬＣＤパネルのゲートラインにスキャン信号を順次出力する液晶表示モジュールと、を含んで構成される。
【００１２】
ここで、前記液晶表示モジュールは、前記第２統合型コネクターを具備し、前記電源電圧、前記映像信号、及び前記制御信号の提供を受けて第１端子を通じてバックライト電源電圧を出力し、第２端子を通じて画像データとゲート信号を出力するインターフェースＰＣＢと、前記画像データをアナログ変換した画像データ信号を前記データラインに出力し、前記ゲート信号を前記ゲートラインに順次出力する駆動ＰＣＢと、前記バックライト電源電圧に基づいてバックライトランプの発光のための電源電圧を出力するバックライトインバータ部と、を含むことが好ましい。
【００１３】
又、前記液晶表示モジュールは、前記第２統合型コネクターを具備し、前記電源電圧、前記映像信号、及び前記制御信号の提供を受けて、第１端子を通じてバックライト電源電圧を出力し、第２端子を通じて画像データを出力し、第３端子を通じてゲート信号を出力するインターフェースＰＣＢと、前記画像データをアナログ変換した画像データ信号を前記データラインに出力するデータ駆動ＰＣＢと、前記ゲートラインに前記ゲート信号を順次出力するゲート駆動ＰＣＢと、前記バックライト電源電圧に基づいてバックライトランプの発光のための電源電圧を出力するバックライトインバータ部と、を含むことが好ましい。
【００１４】
又、前記インターフェースＰＣＢは、外部のホストシステムから提供されるプログラムを記憶するための所定のメモリを具備することが好ましい。
【００１５】
又、前記液晶表示モジュールは、前記第２統合型コネクターを具備し、前記電源電圧、前記映像信号、及び前記制御信号の提供を受け、第１端子を通じてバックライト電源電圧を出力し、第２端子を通じて画像データをアナログ変換した画像データ信号を前記データラインに出力し、第３端子を通じてゲート信号を前記ゲートラインに順次出力する統合ボードと、前記バックライト電源電圧に基づいてバックライトランプの発光のための電源電圧を出力するバックライトインバータ部と、を含むことが好ましい。
【００１６】
又、前記液晶表示モジュールは、前記第２統合型コネクターを具備し、前記電源電圧、前記映像信号、及び前記制御信号の提供を受け、第１端子を通じてバックライト電源電圧を出力し、第２端子を通じて画像データをアナログ変換した画像データ信号と前記画像データ信号の順次選択のためのスキャン信号を前記ゲートラインに出力する統合ボードと、前記バックライト電源電圧に基づいてバックライトランプの発光のための電源電圧を出力するバックライトインバータ部と、を含むことが好ましい。
【００１７】
このような統合型コネクターを有する液晶表示モジュール及びこれを具備する液晶表示装置によると、液晶表示モジュールに印加される電源電圧や各種映像、制御信号等のためのコネクターを一つのコネクターに統合したので、その構造がコンパクトであり、液晶表示モジュールのスリム化を具現することができるのみならず、ドッキング方式を有しているので、液晶表示モジュールのオートテスト及びプログラム自動ダウンロードを容易に行うことができる。
【発明を実施するための最良の形態】
【００１８】
以下では、添付図面を参照して、本発明をより詳細に説明する。
【００１９】
図１は、本発明の一実施例による統合型コネクターを有する液晶表示装置を説明するための図である。
【００２０】
図１を参照すると、本発明の一実施例による統合型コネクターを有する液晶表示装置は、ユーザ接続部１００、入出力部２００、及び液晶表示モジュールＬＣＤ  ＭＯＤＵＬＥを含む。
【００２１】
ユーザ接続部１００は、電源電圧を受けるための入力端子Ｐｏｗｅｒと、外部のホストシステム（図示せず）からアナログタイプの映像信号の入力を受けるための入力端子Ａｎａｌｏｇと、外部のホストシステムからデジタルタイプの映像信号の入力を受けるための入力端子ＤＶＩを具備し、電源電圧、アナログタイプの映像信号、デジタルタイプの映像信号を、多数のポートを通じて液晶表示モジュールに出力するための第１統合型コネクター１０２を有する。ここで、第１統合型コネクター１０２は、フレキシブルプリント回路板（Ｆｌｅｘｉｂｌｅ  Ｐｒｉｎｔｅｄ  Ｃｉｒｃｕｉｔ）ＦＰＣを通じて延長されることが好ましい。
【００２２】
入出力部２００は、ユーザの操作によるキー入力信号を、ユーザ接続部１００を経由して液晶表示モジュールに提供し、液晶表示モジュールから提供される出力信号を、ユーザ接続部１００を経由して受けて出力する。例えば、画像のコントラスト（ＣＯＮＴＲＡＳＴ）、カラー（ＣＯＬＯＲ）、画面のポジション（ＰＯＳＩＴＩＯＮ）、イメージ（ＩＭＡＧＥ）、ブライトネス（ＢＲＩＧＨＴＮＥＳＳ）、ビデオモード（ＶＩＤＥＯ  ＭＯＤＥ）、オートコンフィグ（ＡＵＴＯ−ＣＯＮＦＩＧ）、システム関連情報、パワー等を調整するための各種キーを含み、ユーザの操作によって該当キー操作信号を、ユーザ接続部１００を経由して液晶表示モジュールに提供し、その応答による信号を所定のＬＥＤ等の素子を用いてディスプレイする。勿論、多様なキーを具備しなくても、ＯＳＤ（Ｏｎ  Ｓｃｒｅｅｎ  Ｄｉｓｐｌａｙ）方式で各種キーを液晶パネル上にディスプレイすることもできる。
【００２３】
液晶表示モジュールＬＣＤ  ＭＯＤＵＬＥは、統合ボード３００、バックライトインバータ部４００、及び液晶パネル（図示せず）を含み、ユーザ接続部１００から提供される電源、各種画像信号及び制御信号等の提供を受け、所定の画像をディスプレイする。
【００２４】
より詳細には、統合ボード３００は、第１インターフェース部３０２、第２統合型コネクター３１０、制御及びパワーユニット、ＬＣＤ駆動ユニット、ＡＤＣ／ＴＭＤＳ／スケーリングユニットで構成され、電源、映像信号、及び制御信号の提供を受けて、第１端子、即ち、第１インターフェース部３０２を通じてバックライトインバータ部４００にバックライト電源電圧を出力し、第２端子を通じて画像データをアナログ変換した画像データ信号とゲート信号を、ドライバーＩＣを経由して液晶パネルに出力する。ここで、ドライバーＩＣは、液晶パネルのデータラインに接続されデータ信号を出力するデータドライバーＩＣと、液晶パネルのゲートラインに接続されゲート信号を順次出力するゲートドライバーＩＣを含む。
【００２５】
又、第２統合型コネクター３１０は、ソケットタイプのコネクターであり、第２統合型コネクター３１０に接続される第１統合型コネクター１０２は、プラグタイプのコネクターであることが好ましいが、その逆も可能である。
【００２６】
以上の実施例では、統合ボードの機能を説明するために、３個のユニットに分離して説明したが、これは、この機能を説明するための論理的な分離であるだけであって物理的な分離でなく、それ以上のユニットに分離しても、本発明の要旨を外れない。
【００２７】
前述したように、本発明によると、電源や多様な画像信号と各種制御信号を、一体化されたポートを通じて受けることができるので、液晶表示モジュールや液晶表示装置の正常作動の可否をチェックするために、別の信号を入力するための別のケーブル接続等を省略することができ、作業工程数を減少させることができる。
【００２８】
又、液晶表示モジュールに、電源電圧や各種信号を入力するために、電源入力ポートやそれぞれの信号入力ポートを一つの統合型コネクターにより実現することにより、液晶表示装置の外観をシンプルに整理することができる。
【００２９】
図２は、図１に図示された統合型コネクターを説明するための図である。
【００３０】
図２を参照すると、本発明による統合型コネクターは、ホストシステム側と接続するためのユーザ接続部１００から所定のフレキシブル伝送ラインにより延長された第１統合型コネクター１０２と、液晶表示モジュールに接続される第２統合型コネクター３１０で構成され、第１統合型コネクター１０２及び第２統合型コネクター３１０に接続された複数の端子は、電源電圧を供給するための端子、各種アナログタイプの映像を伝送するための複数の端子、各種デジタルタイプの映像を伝送するための複数の端子、外部のホストシステムから液晶表示装置の駆動のためのプログラムをダウンロードするための端子を含んでいる。
【００３１】
即ち、通常的に、外部のホストシステムから提供される画像信号は、液晶表示装置のスペック、例えば、解像度等に合うように変換されなければならないが、このような信号変換動作を液晶表示モジュールに内蔵されるスケーラー（ｓｃａｌｅｒ）が行い、前記したスケーラーの動作を実行するプログラムをダウンロードすることが好ましい。
【００３２】
又、前記した第１統合型コネクター１０２と第２統合型コネクター３１０は、締結を容易にするために、両側のエッジ（ＥＤＧＥ）にドッキング方式のフック（ＨＯＯＫ）とホール（ＨＯＬＥ）を有することが好ましく、特に、第１統合型コネクター１０２は、プラグタイプの雄コネクター（ＭＡＬＥ  ＣＯＮＮＥＣＴＯＲ）であることが好ましく、第２統合型コネクター３１０は、ソケットタイプの雌コネクター（ＦＥＭＡＬＥ  ＣＯＮＮＥＣＴＯＲ）であることが好ましい。
【００３３】
又、第１統合型コネクター１０２に接続された複数の端子と、第２統合型コネクター３１０に接続された複数の端子は、同一ラインに配置されることが好ましい。
【００３４】
勿論、図面上では、液晶表示モジュールに具備されるコネクターがソケットタイプであり、ユーザ接続部に具備されるコネクターがプラグタイプであると図示したが、液晶表示モジュールに具備されるコネクターがプラグタイプであり、ユーザ接続部に具備されるコネクターがソケットタイプであることも可能である。
【００３５】
又、図面上では、ドッキング締結のために、フックがソケットタイプのコネクターに具備されることを図示したが、ドッキング締結のためのフックがプラグタイプのコネクターに具備されることも可能である。
【００３６】
前述したように、本発明による統合型コネクターは、電源電圧、各種映像信号及び制御信号用の端子を一列に整列統合したので、その構造がコンパクトであり、液晶表示モジュールのスリム化を具現することができる。
【００３７】
又、本発明による統合型コネクターがドッキング方式を有しているので、液晶表示モジュールや液晶表示装置を製造した後、該当モジュールや装置の正常作動の可否をチェックする検査工程で、検査システム（図示せず）側とドッキング方式で接続して、各種検査用プログラムを自動ダウンロードし、これを起動させることにより、正常作動の可否を容易に検査することができる。
【００３８】
又、前記したプログラムの自動ダウンロードのために、統合型コネクターのポートのうちの特定ポートをプログラム自動ダウンロード用として割り当てることができるので、ハードウェアの標準化に容易に適用することができる。
【００３９】
以上の実施例で説明したように、従来では、液晶表示装置の駆動のために、電源電圧や、各種画像信号、制御信号等をそれぞれ提供受けるために、各種コネクターを別に具備しなければならないが、本発明によると、コネクターを一つの統合型構造で実現することにより、製造者側では、液晶表示装置の正常駆動の可否を確認するために、電源電圧や各種信号を一つに統合されたコネクターを通じて確認することができるので、液晶表示装置の検査工程数を減少させることができ、コネクターを別に装着するのに要する費用を低減することができる。
【００４０】
又、ユーザ側でも、液晶表示装置に電源電圧を供給するためのラインを接続し、各種映像信号を供給するためのラインを別に接続しなくても、統合されたコネクターの接続を通じて液晶表示装置をホストシステムと接続することができるので、組立の便利性を増大させることができる。
【００４１】
以下では、図１に図示した統合ボードの一実施例を添付図面を参照して説明する。
【００４２】
図３は、図１に図示された統合ボードの一例を説明するための図である。
【００４３】
図１乃至図３を参照すると、本発明による統合ボード３００は、第１インターフェース部３０２、第２統合型コネクター３１０、スケーリング制御部３２０、電源制御部３３０、タイミング制御部３４０、データドライバーユニット３５０、ゲートドライバーユニット３６０、及びメモリ３７０を含む。
【００４４】
第２統合型コネクター３１０は、パワーポート、キー、及び発光ポート、ダウンポート、ＴＭＤＳポート、ビデオポート、ＡＤＣポート等を含み、ホストシステムに接続されるユーザ接続部１００の第１統合型コネクター１０２と接続され、それぞれの信号の提供を受けて、それらをスケーリング制御部３２０及び電源制御部３３０に提供する。
【００４５】
スケーリング制御部３２０は、第２統合型コネクター３１０から提供される信号の提供を受けて、スケーリング制御された信号３２２をタイミング制御部３４０に提供し、ＬＣＤオン／オフ制御信号（ＬＣＤ  ＯＮ／ＯＦＦ）を電源制御部３３０に提供し、バックライトオン／オフ制御信号（ＢＡＣＫＬＩＧＨＴ  ＯＮ／ＯＦＦ）と輝度制御信号（ＢＲＩＧＨＴＮＥＳＳ  ＣＯＮＴＲＯＬ）を、第１インターフェース部３０２を経由してバックライトインバータ部４００に提供する。
【００４６】
電源制御部３３０は、ＤＣ−ＤＣコンバーター３３２、ＬＣＤアナログパワー変換部３３４、及びＬＣＤデジタルパワー変換部３３６で構成され、第２統合型コネクター３１０のパワーポートＰＯＷＥＲから提供される電源レベルを変換して、所定の起動電源をタイミング制御部３４０、データドライバーユニット３５０、ゲートドライバーユニット３６０にそれぞれ提供し、ゲートオン／オフ制御のための制御電源をゲートドライバーユニット３６０に供給する。
【００４７】
タイミング制御部３４０は、スケーリング制御部３２０から提供されるスケーリング制御された信号３２２、例えば、垂直同期信号Ｖｓｙｎｃと水平同期信号Ｈｓｙｎｃ、メインクロックＭＣＬＫ、ＲＧＢ映像データ（Ｒ[０：Ｎ]、Ｇ[０：Ｎ]、Ｇ[０：Ｎ]）、データイネーブル信号ＤＥ等の提供を受けて、ＲＧＢデータのディスプレイを制御する垂直同期信号Ｖｓｙｎｃと水平同期信号Ｈｓｙｎｃに基づいて第１タイミング信号３４２を生成し、生成された第１タイミング信号３４２と共にＲＧＢ映像データ（Ｒ[０：Ｎ]、Ｇ[０：Ｎ]、Ｇ[０：Ｎ]）（図示せず）をデータドライバーユニット３５０に出力する。ここで、第１タイミング信号３４２は、ＲＧＢデータ伝送完了後、統合ボードに接続されたデータドライバーＩＣへの出力の開始タイミングを示すロード信号ＬＯＡＤ又はＴＰとスキャンラインの開始タイミングを示す水平同期開始信号ＳＴＨを含む。
【００４８】
又、タイミング制御部３４０は、スケーリング制御部３２０から提供されるスケーリング制御された信号３２２、例えば、ＲＧＢデータＤＡＴＡのディスプレイを制御する垂直同期信号Ｖｓｙｎｃと水平同期信号Ｈｓｙｎｃに基づいて第２タイミング信号３４４を生成し、生成された第２タイミング信号３４４をゲートドライバーユニット３６０に出力する。ここで、第２タイミング信号３４４は、ゲートオン／オフ信号の出力を制御するゲート選択信号Ｇａｔｅ  ｃｌｋ又はＣＰＶ、一番目スキャンラインの選択のための垂直同期開始信号ＳＴＶ及び出力イネーブル信号ＯＥを含む。
【００４９】
データドライバーユニット３５０は、タイミング制御部３４０から画像信号と第１タイミング信号３４２が入力されると、これに基づいて液晶パネルにデータ電圧を出力するが、即ち、Ｒ、Ｇ、Ｂデジタルデータ（Ｒ[０：Ｎ]、Ｇ[０：Ｎ]、Ｂ[０：Ｎ]）の提供を受けて、これを記憶し、液晶パネルに提供することを命令するロード信号ＬＯＡＤが印加されると、液晶パネルにデータ電圧（Ｄ１、Ｄ２、．．．）を出力する。
【００５０】
ゲートドライバーユニット３６０は、タイミング制御部３４０から第２タイミング信号３４４が入力されると、これに基づいて液晶パネルにゲート信号を出力するが、即ち、ゲートクロック信号Ｇａｔｅ  ｃｌｋと垂直同期開始信号ＳＴＶの提供を受け、液晶パネル上の各画素に所定の電圧値が供給されるように複数のゲート信号Ｇ１、Ｇ２、．．．を出力する。
【００５１】
メモリ３７０は、第２統合型コネクター３１０のダウンポートを経由して入力される所定のプログラムを記憶し、スケーリング制御部３２０の要請に応じて、記憶されたプログラムを提供する。ここで、前記したプログラムは、スケーリング制御部３２０を制御するためのプログラムであることが好ましいが、液晶表示装置のシステム関連プログラムであることも可能であり、自動検査のためのプログラムであることも可能である。
【００５２】
以上の本発明の一実施例では、液晶表示モジュールから出力されるデータ信号と、ゲート信号及び制御信号が液晶パネルの一側部に具備される駆動ＰＣＢに出力することを説明したが、データ信号はデータドライバーＰＣＢに、ゲート信号はゲートドライバーＰＣＢにそれぞれ分割して出力することもできる。
【００５３】
図４は、本発明の他の実施例による統合型コネクターを有する液晶表示装置を説明するための図である。
【００５４】
図４を参照すると、本発明の他の実施例による統合型コネクターを有する液晶表示装置は、統合ボード３００及び液晶パネルを含み、統合ボード３００の一側部は、液晶パネルの一側部に接続されるデータドライバーＩＣを通じてデータ信号を出力し、統合ボード３００の他の一側部は、液晶パネルの他の一側部に接続されるゲートドライバーＩＣを通じてゲート信号を出力する。
【００５５】
勿論、図４は、液晶パネルの一側面にゲートドライバーＩＣを具備するシングルバンク（Ｓｉｎｇｌｅ  Ｂａｎｋ）構造を図示したが、液晶パネルの両側面にゲートドライバーＩＣを具備するデュアルバンク（Ｄｕａｌ  Ｂａｎｋ）構造でも、本発明による統合型コネクターを同一に実現することもできる。
【００５６】
図５は、本発明の他の実施例による統合型コネクターを有する液晶表示装置を説明するための図である。
【００５７】
図５を参照すると、本発明の他の実施例による統合型コネクターを有する液晶表示装置は、ユーザ接続部１００、入出力部２００、及び液晶表示モジュールＬＣＤ  ＭＯＤＵＬＥを含み、前記したユーザ接続部１００と入出力部２００は、図１で説明したので、その詳細な説明は省略する。
【００５８】
液晶表示モジュールＬＣＤ  ＭＯＤＵＬＥは、インターフェースＰＣＢ５００、バックライトインバータ部４００、駆動ＰＣＢ６００、及び液晶パネル（図示せず）を含み、ユーザ接続部１００から提供される電源、画像信号、制御信号、電源等の提供を受け、所定の画像をディスプレイする。
【００５９】
より詳細には、インターフェースＰＣＢ５００は、図２に図示した第２統合型コネクター３１０と第１インターフェース部５０４及び第２インターフェース部５０６を具備し、入力部１００の第１統合型コネクター１０２と第２統合型コネクター３１０を経由して、電源電圧、画像信号、制御信号の提供を受けて、駆動ＰＣＢ６００には第１インターフェース部５０４を通じて画像信号とこれをディスプレイするための制御信号を提供し、バックライトインバータ部４００には第２インターフェース部５０６を通じてバックライト駆動のための電源電圧を提供する。
【００６０】
仮に、液晶表示モジュールがアナログインターフェース方式を有する場合には、前記画像信号がアナログタイプのＲ、Ｇ、Ｂ画像信号であり、前記したインターフェースＰＣＢは、アナログタイプの画像信号をデジタル変換するためのアナログ−デジタル変換機ＡＤＣを更に具備することが好ましい。このようなアナログ−デジタル変換機を具備することにより、アナログ信号の長所であるＥＭＩとノイズ問題を減少させることができ、長距離伝送等の長所を有する。
【００６１】
一方、液晶表示モジュールがデジタルインターフェース方式を有する場合には、前記画像信号がＲ、Ｇ、Ｂデジタルデータ（Ｒ［０：Ｎ］、Ｇ［０：Ｎ］、Ｂ［０：Ｎ］）であることは自明である。
【００６２】
バックライトインバータ部４００は、インターフェースＰＣＢ５００から提供されるバックライト駆動電源の提供を受けて、バックライト発光のための所定の電源電圧をバックライト（図示せず）に印加する。
【００６３】
図示してないが、液晶表示モジュールの前面（Ｆｒｏｎｔ ｓｉｄｅ）に配置される液晶パネルは、複数のデータラインと複数のゲートラインとの間に格子配列された一定領域に形成され、第１端が前記ゲートラインに接続され、第２端が前記データラインに接続されたスイッチング素子ＴＦＴと、前記スイッチング素子の第３端に接続された液晶キャパシタＣＬＣとストレージキャパシタＣｓｔを含み、駆動ＰＣＢ６００から入力されるゲート信号（Ｇ１、Ｇ２、．．．）に応答して、データ信号電圧（Ｄ１、Ｄ２、．．．）に対応する画像をディスプレイする。
【００６４】
図６は、図５に図示されたインターフェースＰＣＢを説明するための図である。
【００６５】
図５を参照すると、本発明の他の実施例によるインターフェースＰＣＢ５００は、第２統合型コネクター３１０、第１インターフェース部５０４及び第２インターフェース部５０６、スケーリング制御部５２０、電源制御部５３０、タイミング制御部５４０、及びメモリ５５０を含む。
【００６６】
第２統合型コネクター３１０は、パワーポート、キー入力ポート、発光ポート、所定のプログラムをダウンロードするためのダウンポート、ＥＭＩと伝送距離との制限を与える変換を減少させるために、データを統計的に処理するＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ポート、映像信号の入力のためのビデオポート、ＡＤＣポート等を含み、ホストシステムに接続されるユーザ接続部１００の第１統合型コネクター１０２と接続され、それぞれの信号の提供を受けてスケーリング制御部５２０及び電源制御部５３０に提供する。勿論、別のダウンポートを具備しなくても、キー入力ポート等をプログラムダウンのためのポートとして共有することもできる。
【００６７】
スケーリング制御部５２０は、第２統合型コネクター３１０から提供される信号を受けて、スケーリング制御された信号５２２をタイミング制御部１４０に提供し、ＬＣＤオン／オフ制御信号（ＬＣＤ  ＯＮ／ＯＦＦ）を電源制御部５３０に提供し、バックライトオン／オフ制御信号（Ｂａｃｋｌｉｇｈｔ  ＯＮ／ＯＦＦ）と輝度制御信号（Ｂｒｉｇｈｔｎｅｓｓ  ｃｏｎｔｒｏｌ）をバックライトインバータ部４００に提供する。
【００６８】
電源制御部５３０は、ＤＣ−ＤＣコンバーター５３２、ＬＣＤアナログパワー変換部５３４、及びＬＣＤデジタルパワー変換部５３６で構成され、第２統合型コネクター３１０のパワーポートから提供される電源レベルを変換して、所定の起動電源をタイミング制御部５４０、駆動ＰＣＢ６００に提供し、ゲートオン／オフ制御のための制御電源ＶＯＮ、ＶＯＦＦを駆動ＰＣＢ６００に提供する。
【００６９】
より詳細には、ＤＣ−ＤＣコンバーター５３２は、第２統合型コネクターのパワーポートから提供される７〜２４Ｖの電源の提供を受け、このレベルを調整してＬＣＤアナログパワー変換部５３４とＬＣＤデジタルパワー変換部５３６に提供する。
【００７０】
ＬＣＤアナログパワー変換部５３４は、ＤＣ−ＤＣコンバーター５３２から、レベル調整された第１電源の提供を受けて、アナログ電源電圧ＡＶＤＤを、第２インターフェース部５０６を経由して駆動ＰＣＢ６００に提供する。
【００７１】
ＬＣＤデジタルパワー変換部５３６は、ＤＣ−ＤＣコンバーター５３２から、レベル調整された第２電源電圧の提供を受け、スケーリング制御部５２０から提供されるＬＣＤオン／オフ制御信号（ＬＣＤ  ＯＮ／ＯＦＦ）に基づいて生成した所定の電源電圧、例えば、ほぼ３.３Ｖの電源電圧を、タイミング制御部５４０及び駆動ＰＣＢ６００にそれぞれ提供し、ゲートオン／オフ電圧ＶＯＮ、ＶＯＦＦを駆動ＰＣＢ６００に提供する。
【００７２】
タイミング制御部５４０は、スケーリング制御部５２０から提供される垂直同期信号Ｖｓｙｎｃと水平同期信号Ｈｓｙｎｃ、メインクロックＭＣＬＫ、ＲＧＢ映像データ（Ｒ[０：Ｎ]、Ｇ[０：Ｎ]、Ｇ[０：Ｎ]）、データイネーブル信号ＤＥ等の提供を受け、ＲＧＢデータのディスプレイを制御する垂直同期信号Ｖｓｙｎｃと水平同期信号Ｈｓｙｎｃに基づいて第１タイミング信号５４２を生成し、生成された第１タイミング信号と共にＲＧＢ映像データ（Ｒ[０：Ｎ]、Ｇ[０：Ｎ]、Ｇ[０：Ｎ]）（図示せず）を駆動ＰＣＢ６００に出力する。ここで、第１タイミング信号５４２は、ＲＧＢデータ伝送完了後、データドライバーＩＣに出力を開始するためのロード信号（ＬＯＡＤ又はＴＰ）とスキャンラインの開始タイミングを知らせる水平同期開始信号ＳＴＨを含む。
【００７３】
又、タイミング制御部５４０は、ＲＧＢデータＤＡＴＡのディスプレイを制御する垂直同期信号Ｖｓｙｎｃと水平同期信号Ｈｓｙｎｃに基づいて、第２タイミング信号５４４を生成し、生成された第２タイミング信号５４４を駆動ＰＣＢ６００に出力する。ここで、第２タイミング信号５４４は、ゲートオン／オフ信号の出力を制御するゲート選択信号Ｇａｔｅ  ｃｌｋ又はＣＰＶ、一番目スキャンライン選択のための垂直同期開始信号ＳＴＶ及び出力イネーブル信号ＯＥを含む。
【００７４】
メモリ５５０は、第２統合型コネクター３１０のダウンポートを経由して入力される所定のプログラムを記憶し、スケーリング制御部５２０の要請によって、記憶されたプログラムを提供する。ここで、前記したプログラムは、スケーリング制御部５２０の駆動のためのプログラムであることも可能であり、液晶表示装置のシステム関連プログラムであることも可能であり、自動検査のためのプログラムであることも可能である。
【００７５】
図７は、本発明の他の実施例による統合型コネクターを有する液晶表示装置を説明するための図である。
【００７６】
図７を参照すると、本発明の他の実施例による統合型コネクターを有する液晶表示装置は、ユーザ接続部１００、入出力部２００、及び液晶表示モジュールＬＣＤ  ＭＯＤＵＬＥを含み、前記したユーザ接続部１００と入出力部２００は、前記した図１で説明したので、その詳細な説明は省略する。
【００７７】
液晶表示モジュールＬＣＤ  ＭＯＤＵＬＥは、インターフェースＰＣＢ５００、バックライトインバータ部４００、データドライバーＰＣＢ７００、ゲートドライバーＰＣＢ８００、及び液晶パネル（図示せず）を含み、ユーザ接続部１００から提供される電源電圧、画像信号、制御信号の提供を受け、所定の画像をディスプレイする。
【００７８】
より詳細には、インターフェースＰＣＢ５００は、第２統合型コネクター３１０と第１乃至第３インターフェース部５０４、５０６、５０８を具備し、入力部１００の第１統合型コネクター１０２と第２統合型コネクター３１０を経由して、電源電圧、画像信号、制御信号の提供を受け、第１インターフェース部５０４を通じて、バックライトインバータ部４００には、バックライトを駆動するための電源電圧を、第２インターフェース部５０６を通じてデータドライバーＰＣＢ７００には、画像信号と第１タイミング信号を、第３インターフェース部５０８を通じてゲートドライバーＰＣＢ８００には、第２タイミング信号を提供する。
【００７９】
仮に、液晶表示モジュールがアナログインターフェース方式を有する場合には、画像信号がアナログタイプのＲ、Ｇ、Ｂ画像信号であり、前記したインターフェースＰＣＢは、アナログタイプの画像信号をデジタル変換するためのアナログ−デジタル変換機ＡＤＣを更に具備することが好ましい。このようなアナログ−デジタル変換機を具備することにより、アナログ信号の長所であるＥＭＩとノイズの問題を減少させることができ、長距離伝送などの長所を有する。
【００８０】
一方、液晶表示モジュールが、デジタルインターフェース方式を有する場合には、画像信号がＲ、Ｇ、Ｂデジタルデータ（Ｒ[０：Ｎ]、Ｇ[０：Ｎ]、Ｂ[０：Ｎ]）であることは自明である。
【００８１】
バックライトインバータ部４００は、インターフェースＰＣＢ５００から提供されるバックライト駆動のための電源電圧を受け、バックライト発光のための所定の電源電圧をバックライト（図示せず）に印加する。
【００８２】
データドライバーＰＣＢ７００は、インターフェース部７１０と複数のデータドライバーＩＣを含んで構成され、インターフェースＰＣＢ５００から画像信号と第１タイミング信号が入力されると、これに基づいて液晶パネルにデータ電圧を出力するが、即ち、Ｒ、Ｇ、Ｂデジタルデータ（Ｒ[０：Ｎ]、Ｇ[０：Ｎ]、Ｂ[０：Ｎ]）の提供を受けて、これを記憶し、液晶パネルに提供することを命令するロード信号ＬＯＡＤが印加されると、液晶パネルにデータ電圧Ｄ１、Ｄ２、．．．を出力する。
【００８３】
ゲートドライバーＰＣＢ８００は、インターフェース部８１０と複数のゲートドライバーＩＣを含んで構成され、インターフェースＰＣＢ５００から第２タイミング信号が入力されると、これに基づいて液晶パネルにゲート信号を出力するが、即ち、ゲートクロック信号Ｇａｔｅ  ｃｌｋと垂直同期開始信号ＳＴＶの提供を受け、液晶パネル上の各画素の電圧値が画素に伝達されるように複数のゲート信号Ｇ１、Ｇ２、．．．を出力する。
【００８４】
一方、上記の一実施例では、ＬＣＤパネルの一側に一つのゲートドライバーＰＣＢを具備するシングルバンク（Ｓｉｎｇｌｅ  Ｂａｎｋ）方式の液晶表示装置を説明したが、ＬＣＤパネルの両側にそれぞれゲートドライバーＰＣＢを具備するデュアルバンク（Ｄｕａｌ  Ｂａｎｋ）方式の液晶表示装置でも当業者なら容易に適用することができるであろう。
【００８５】
図８は、図７に図示されたインターフェースＰＣＢを説明するための図である。
【００８６】
図７及び図８を参照すると、本発明の他の実施例によるインターフェースＰＣＢ５００は、第１乃至第３インターフェース部５０４、５０６、５０８、第２統合型コネクター３１０、スケーリング制御部５２０、電源制御部５３０、タイミング制御部５４０、及びメモリ５５０を含み、前記した第２統合型コネクター３１０とスケーリング制御部５２０は、前記した図６の動作と同じなので、説明は省略する。
【００８７】
電源制御部５３０は、ＤＣ−ＤＣコンバーター５３２、ＬＣＤアナログパワー変換部５３４、及びＬＣＤデジタルパワー変換部５３６で構成され、第２統合型コネクター３１０のパワーポートから提供される電源レベルを変換して、所定の電源電圧をタイミング制御部５４０、データドライバーＰＣＢ部７００、及びゲートドライバーＰＣＢ部８００にそれぞれ提供し、ゲートオン／オフ制御のための制御電圧ＶＯＮ、ＶＯＦＦをゲートドライバーＰＣＢ部８００に供給する。
【００８８】
より詳細には、ＤＣ−ＤＣコンバーター５３２は、第２統合型コネクター３１０のパワーポートから提供される７〜２４Ｖの電源電圧の提供を受け、このレベルを調整してＬＣＤアナログパワー変換部５３４とＬＣＤデジタルパワー変換部５３６に提供する。
【００８９】
ＬＣＤアナログパワー変換部５３４は、ＤＣ−ＤＣコンバーター５３２から、レベル調整された第１電源電圧の提供を受けて、アナログ電源電圧ＡＶＤＤを、第２インターフェース部５０６を経由してデータドライバーＰＣＢ部７００に提供する。
【００９０】
ＬＣＤデジタルパワー変換部５３６は、ＤＣ−ＤＣコンバーター５３２から、レベル調整された第２電源電圧の提供を受け、スケーリング制御部５２０から提供されるＬＣＤオン／オフ制御信号ＬＣＤ  ＯＮ／ＯＦＦに基づいて生成した所定の電源電圧、例えば、ほぼ３.３Ｖの電源電圧を、タイミング制御部５４０、データドライバーＰＣＢ部７００、及びゲートドライバーＰＣＢ部８００にそれぞれ提供し、ゲートオン／オフ電圧ＶＯＮ、ＶＯＦＦをゲートドライバーＰＣＢ部８００に提供する。
【００９１】
タイミング制御部５４０は、スケーリング制御部５２０から提供される垂直同期信号Ｖｓｙｎｃと水平同期信号Ｈｓｙｎｃ、メインクロックＭＣＬＫ、ＲＧＢ映像データ（Ｒ[０：Ｎ]、Ｇ[０：Ｎ]、Ｇ[０：Ｎ]）、データイネーブル信号ＤＥ等の提供を受け、ＲＧＢデータのディスプレイを制御する垂直同期信号Ｖｓｙｎｃと水平同期信号Ｈｓｙｎｃに基づいて第１タイミング信号５４２を生成し、生成された第１タイミング信号と共にＲＧＢ映像データ（Ｒ[０：Ｎ]、Ｇ[０：Ｎ]、Ｇ[０：Ｎ]）（図示せず）をデータドライバーＰＣＢ７００に出力する。ここで、第１タイミング信号５４４は、ＲＧＢデータ伝送完了後、データドライバーＩＣに出力を開始するためのロード信号（ＬＯＡＤ又はＴＰ）とスキャンラインの開始タイミングを示す水平同期開始信号ＳＴＨを含む。
【００９２】
又、タイミング制御部５４０は、ＲＧＢデータＤＡＴＡのディスプレイを制御する垂直同期信号Ｖｓｙｎｃと水平同期信号Ｈｓｙｎｃに基づいて第２タイミング信号５４４を生成し、生成された第２タイミング信号５４４をゲートドライバーＰＣＢ８００に出力する。ここで、第２タイミング信号５４４は、液晶パネルに形成されたスイッチング素子のゲートオン／オフ信号の出力を制御するゲート選択信号Ｇａｔｅ  ｃｌｋ又はＣＰＶ、一番目スキャンライン選択のための垂直同期開始信号ＳＴＶ及び出力イネーブル信号ＯＥを含む。
【００９３】
メモリ５５０は、第２統合型コネクター３１０のダウンポートを経由して入力される所定のプログラムを記憶し、スケーリング制御部５２０の要請に応じて、記憶されたプログラムを提供する。ここで、前記したプログラムは、スケーリング制御部５２０の駆動のためのプログラムであることも可能であり、液晶表示装置のシステム関連プログラムであることも可能であり、自動検査のためのプログラムであることも可能である。
【００９４】
又、以上の一実施例では、一般ＣＲＴ方式のモニターと互換性を維持するために、別のインターフェースＰＣＢを液晶表示モジュール内に具備し、前記インターフェースＰＣＢに統合型コネクターを具備することを説明したが、前記したインターフェースＰＣＢを液晶表示モジュールに具備しなくても、本発明による統合型コネクターを液晶表示装置に適用することもできる。
【００９５】
以上、本発明の実施例によって詳細に説明したが、本発明はこれに限定されず、本発明が属する技術分野において通常の知識を有するものであれば本発明の思想と精神を離れることなく、本発明を修正または変更できる。
【産業上の利用可能性】
【００９６】
以上で説明したように、本発明によると、液晶表示装置のＰＣＢ上に、電源電圧や画像信号、制御信号の入力を受けるために、別の接続端子を具備しなくても、一体化されたコネクターを通じて提供することができるので、よりスリムであり、コンパクトな構造の液晶表示装置を提供することができる。
【００９７】
又、本発明によると、液晶表示モジュールに固定されるスロット型コネクターに脱着可能にドッキング方式で接続されるプラグ型コネクターは、フレキシブルタイプに延長が可能であるので、液晶表示装置のハウジング設計の柔軟性を向上させることができる。
【００９８】
又、本発明によると、電源入力のための電源端子や外部のホストシステムから各種画像信号の入力を受けるための別の接続端子をそれぞれ具備しなくても、一体化された統合型コネクターの各端子上に実現することができるので、液晶表示装置の材料費と物流費を低減することができる。
【００９９】
又、本発明による統合型コネクターの一部端子を、液晶表示装置の駆動に所要されるプログラムをダウンロードするための端子として用いることにより、ハードウェアの標準化を容易に実現することができる。
【０１００】
又、本発明によると、液晶表示装置の製造完了後、正常作動の可否をチェックするために、電源電圧や多様な画像信号、制御信号を供給するための別の端子を接続しなくても、一体化されたコネクターを通じて正常作動の可否をチェックするための電源、各種画像信号、制御信号等を提供することができるので、液晶表示装置のオートテストを容易に行うことができる。
【図面の簡単な説明】
【０１０１】
【図１】本発明の一実施例による統合型コネクターを有する液晶表示装置を説明するための図である。
【図２】図１に図示された統合型コネクターを説明するための図である。
【図３】図１に図示された統合ボードの一例を説明するための図である。
【図４】本発明の他の実施例による統合型コネクターを有する液晶表示装置を説明するための図である。
【図５】本発明の他の実施例による統合型コネクターを有する液晶表示装置を説明するための図である。
【図６】図５に図示されたインターフェースＰＣＢを説明するための図である。
【図７】本発明の他の実施例による統合型コネクターを有する液晶表示装置を説明するための図である。
【図８】図７に図示されたインターフェースＰＣＢを説明するための図である。
【符号の説明】
【０１０２】
１００    ユーザ接続部
１０２    第１統合型コネクター
２００    入出力部
３００    統合ボード
３０２    第１インターフェース部
３１０    第２統合型コネクター
３２０    スケーリング制御部
３３０    電源制御部
３３２    ＤＣ−ＤＣコンバーター
３３４    ＬＣＤアナログパワー変換部
３３６    ＬＣＤデジタルパワー変換部
３４０    タイミング制御部
３５０    データドライバーユニット
３６０    ゲートドライバーユニット
３７０    メモリ
４００    バックライトインバータ部
５００    インターフェースＰＣＢ
６００    駆動ＰＣＢ
７００    データドライバーＰＣＢ
８００    ゲートドライバーＰＣＢ
【図１】
2005513579.tif 000003
【図２】
2005513579.tif 000004
【図３】
2005513579.tif 000005
【図４】
2005513579.tif 000006
【図５】
2005513579.tif 000007
【図６】
2005513579.tif 000008
【図７】
2005513579.tif 000009
【図８】
2005513579.tif 000010
【国際調査報告】
2005513579.tif 000011
2005513579.tif 000012